(57)【特許請求の範囲】
【請求項１】
流量・温度調整機構を有するカートリッジを内蔵した水栓本体と、この水栓本体から突出する前記カートリッジの栓棒にビス止めされ、上下に回動操作することにより、吐水，止水および吐出量調節が可能である一方、左右に回動操作することにより、吐水の温度調節が可能である合成樹脂製のレバー式ハンドルとを備えた水栓において、前記栓棒を覆った状態で栓棒に取り付けられる前記ハンドルの取付部には、栓棒が嵌合する嵌合穴と、この嵌合穴に嵌合された前記栓棒の端面に臨む開口とを形成し、この開口に、開口の外部口縁に係合するフランジを有し開口深さに相当する長さの金属製ブッシュを挿入し、このブッシュに挿入したビスを前記栓棒の端面に形成したネジ穴に螺着させることにより、前記ハンドルを前記栓棒にビス止めしてなり、
さらに、前記合成樹脂製のレバー式ハンドルは、ハンドル下半部が中空形状とされており、その基端部が栓棒への前記取付部とされており、また、前記ハンドル下半部の上面側には単一の合成樹脂製の蓋体が着脱自在に設けられ、この蓋体を取り外すことにより、前記ハンドル下半部内が開放されるよう構成されていることを特徴とする水栓の合成樹脂製ハンドル固定構造。
【発明の詳細な説明】
【０００１】
【発明の属する技術分野】
この発明は、台所の流し台や浴室等に設置される水栓の合成樹脂製ハンドル固定構造に関するものである。
【０００２】
【従来の技術】
従来、例えば台所の流し台に設けられる流量調整機能付き水栓では、流量調整機構を有するカートリッジを水栓本体に内蔵し、この水栓本体から突出するカートリッジの栓棒に、図６に示すように合成樹脂製ハンドル４０をビス４１や座金付きビス（図示せず）で締付け固定していた。
【０００３】
【発明が解決しようとする課題】
しかし、上記構成では、合成樹脂製ハンドル４０の栓棒４２への取付部のうち、栓棒４２の端面を覆う部分が、ビス頭部により直接、あるいは座金を介して締め付けられるので、その締付けが過度になると、合成樹脂製ハンドル４０のビス４１による締付け部分が変形してしまい、長期の使用によりビス４１の締付けに緩みが生じるという問題点があった。
【０００４】
この発明は、ビスによるハンドルの締付け部分が、ビスの過度の締付けによっても変形せず、長期の使用によってもビスの締付けに緩みの生じない新規な水栓の合成樹脂製ハンドル固定構造を提供することを目的とする。
【０００５】
【課題を解決するための手段】
上記目的を達成するために、この発明は、流量・温度調整機構を有するカートリッジを内蔵した水栓本体と、この水栓本体から突出する前記カートリッジの栓棒にビス止めされ、上下に回動操作することにより、吐水，止水および吐出量調節が可能である一方、左右に回動操作することにより、吐水の温度調節が可能である合成樹脂製のレバー式ハンドルとを備えた水栓において、前記栓棒を覆った状態で栓棒に取り付けられる前記ハンドルの取付部には、栓棒が嵌合する嵌合穴と、この嵌合穴に嵌合された前記栓棒の端面に臨む開口とを形成し、この開口に、開口の外部口縁に係合するフランジを有し開口深さに相当する長さの金属製ブッシュを挿入し、このブッシュに挿入したビスを前記栓棒の端面に形成したネジ穴に螺着させることにより、前記ハンドルを前記栓棒にビス止めしてなり、
さらに、前記合成樹脂製のレバー式ハンドルは、ハンドル下半部が中空形状とされており、その基端部が栓棒への前記取付部とされており、また、前記ハンドル下半部の上面側には単一の合成樹脂製の蓋体が着脱自在に設けられ、この蓋体を取り外すことにより、前記ハンドル下半部内が開放されるよう構成されていることを特徴とする。
【０００６】
【０００７】
【発明の実施の形態】
以下にこの発明の実施の形態について説明する。なお、この発明はそれによって限定されるものではない。
【０００８】
図１〜図３は、参考例を示す。
図１〜図３において、１は、例えば台所の流し台２に取り付けられた湯水混合水栓である。この湯水混合水栓１は、流量・温度調整機構３を有するカートリッジ４を内蔵した水栓本体５と、この水栓本体５の上端から突出する上記カートリッジ４の栓棒６にビス７で締付け固定される合成樹脂製のレバー式ハンドル８とを備える。
【０００９】
水栓本体５は、給水配管９に接続される給水部分１０と、給湯配管１１に接続される給湯部分１２と、水流出口１３とを有し、カートリッジ４の流量・温度調整機構３により水流出口１３からの吐出量が調整されるとともに、給湯と給水の混合割合すなわち水温が調整される。栓棒６は、上記流量・温度調整機構３を操作する角柱状の操作棒である。カートリッジ４内には縦軸回りに回動自在に栓棒支持筒１４が配置され、この栓棒支持筒１４に水平軸１５が設けられており、その水平軸１５に上記栓棒６が上下に回動自在に取り付けられている。これにより、栓棒６を上下に回動させると吐出量が調整され、栓棒６と一体に上記栓棒支持筒１４を縦軸回りに回動させると水温が調整される。
【００１０】
合成樹脂製のレバー式ハンドル８は、下半部１６が中空形状とされており、その基端部が上記栓棒６への取付部１７とされている。また、ハンドル下半部１６の上面側には合成樹脂製の蓋体１８が着脱自在に設けられ、この蓋体１８を取り外すことにより、ハンドル下半部１６内が開放される。上記取付部１７には、栓棒６の嵌合する四角形の嵌合穴１９が下方から上方に向けて形成されており、さらに取付部１７の上面側には上記嵌合穴１９に嵌合された栓棒６の端面に臨む円形の開口２０が形成されている。栓棒６は、その端面が嵌合穴１９の上側終端面にほぼ突き当たる位置まで嵌合穴１９に差し込まれる。上記開口２０には、開口深さに相当する長さの円筒状の金属製ブッシュ２１が挿入される。このブッシュ２１に、座金２２を介して挿入したビス７が、栓棒６の端面に形成されたネジ穴２３に螺着される。これにより、ハンドル８の取付部１７が栓棒６に締付け固定される。このハンドル取付状態で、水栓本体５の栓棒６が突出する部分がハンドル８の取付部１７により被覆される。
【００１１】
上記湯水混合水栓１において、レバー式ハンドル８を上下に回動操作することにより、吐水，止水および吐出量調節が可能である。また、ハンドル８を左右に回動操作することにより、吐水の温度調節が可能である。
【００１２】
上記ハンドル８の固定構造によると、栓棒６の端面と座金２２との間に金属製ブッシュ２１が介在しているため、ビス７が過度に締め付けられても、ハンドル８の取付部１７における栓棒６の端面を覆う部分が変形することがない。そのため、長期の使用によっても、ビス７によるハンドル８の締付けが緩むことがない。
【００１３】
図４はこの発明の一実施形態を示す。この水栓１では、先の参考例のハンドル固定構造における座金２２を省略するとともに、先のブッシュ２１に替えて、ハンドル取付部１７の開口２０の外部口縁に係合する外向きのフランジ２４ａを上端に有する円筒状の金属製ブッシュ２４を用いている。その他の構成は先の参考例の場合と同様である。
【００１４】
このハンドルの固定構造によると、金属製ブッシュ２４のフランジ２４ａが先の実施形態における座金２２の代用となるので、部品点数を低減できる。ビス７が過度に締め付けられても、ハンドル８の取付部１７における栓棒６の端面を覆う部分が変形しないこと、および長期の使用によっても、ビス７によるハンドル８の締付けが緩まないことは、先の実施形態の場合と同様である。
【００１５】
図５は別の参考例を示す。この参考例のものは、先の参考例におけるハンドルの固定構造を、ツーバルブ型の湯水混合水栓に適用したものである。すなわち、ツーバルブ型の湯水混合水栓は、水用流量調整機構を有するカートリッジと湯用流量調整機構を有するカートリッジとを内蔵した水栓本体と、この水栓本体から突出する両カートリッジの各栓棒に各々ビス止めされる合成樹脂製の水用ハンドルおよび湯用ハンドルを備えたものである。
【００１６】
図５は、その一方のハンドル、例えば水用のノブ式ハンドル２５と、このハンドル２５に対応するカートリッジの栓棒２６が突出する水栓本体２７の一部とを示す分解斜視図である。ノブ式ハンドル２５は、その中央部が栓棒２６への取付部２８とされており、下端から上方に向けて栓棒２６の嵌合する嵌合穴（図示せず）が形成されており、この嵌合穴に嵌合される栓棒２６の端面に臨む開口２０が取付部２８の上面側に形成されている。この開口２０に、開口深さに相当する長さの円筒状の金属製ブッシュ２１が挿入される。このブッシュ２１に、座金２２を介して挿入したビス７が、栓棒２６の端面に形成されたネジ穴２３に螺着される。これにより、ハンドル２５の取付部２８が栓棒２６に締付け固定される。このハンドル取付状態で、水栓本体２７の栓棒２６が突出する部分がハンドル２５の取付部２８により被覆される。
【００１７】
このハンドルの固定構造の場合も、ビス７が過度に締め付けられても、ハンドル２５の取付部２８における栓棒２６の端面を覆う部分が変形しないし、長期の使用によって、ビス７によるハンドル２５の締付けが緩むこともない。
【００１８】
なお、図５の参考例において、座金２２を省略して、図４の実施形態のようなフランジ付きの金属製ブッシュ２４を用いてもよい。
【００１９】
また、上記実施形態では、金属製ブッシュ２４を円筒状としたが、角筒状としてもよい。
【００２０】
【発明の効果】
以上説明したように、この発明によれば、流量・温度調整機構を有するカートリッジを内蔵した水栓本体と、この水栓本体から突出する前記カートリッジの栓棒にビス止めされ、上下に回動操作することにより、吐水，止水および吐出量調節が可能である一方、左右に回動操作することにより、吐水の温度調節が可能である合成樹脂製のレバー式ハンドルとを備えた水栓において、前記栓棒を覆った状態で栓棒に取り付けられる前記ハンドルの取付部には、栓棒が嵌合する嵌合穴と、この嵌合穴に嵌合された前記栓棒の端面に臨む開口とを形成し、この開口に、開口の外部口縁に係合するフランジを有し開口深さに相当する長さの金属製ブッシュを挿入し、このブッシュに挿入したビスを前記栓棒の端面に形成したネジ穴に螺着させることにより、前記ハンドルを前記栓棒にビス止めしてなり、
さらに、前記合成樹脂製のレバー式ハンドルは、ハンドル下半部が中空形状とされており、その基端部が栓棒への前記取付部とされており、また、前記ハンドル下半部の上面側には単一の合成樹脂製の蓋体が着脱自在に設けられ、この蓋体を取り外すことにより、前記ハンドル下半部内が開放されるよう構成されているので、以下の効果を奏する。
【００２１】
栓棒の端面とビス頭部との間にフランジ付きの金属製ブッシュが介在することになり、ビスが過度に締め付けられても、ハンドル取付部における栓棒端面を覆う部分が変形することがない。そのため、長期の使用によっても、ビスによるハンドルの締付けが緩むことがない。さらに、金属製ブッシュのフランジが座金の代用となるので、部品点数を低減できる。
【図面の簡単な説明】
【図１】  参考例における要部を示す一部破断側面図である。
【図２】  上記参考例におけるハンドルの分解斜視図である。
【図３】  上記参考例におけるハンドル固定部の分解斜視図である。
【図４】  （Ａ）はこの発明の一実施形態におけるハンドル固定部を示す拡大断面図、（Ｂ）はそのハンドル固定部に使用されるブッシュの斜視図である。
【図５】  別の参考例におけるハンドル固定部の分解斜視図である。
【図６】  従来例を示す要部断面図である。
【符号の説明】
４…カートリッジ、５…水栓本体、６…栓棒、７…ビス、８…レバー式ハンドル、１６…中空形状のハンドル下半部、１７…ハンドル取付部、１８…蓋体、１９…嵌合穴、２０…開口、２３…ネジ穴、２４…金属製ブッシュ、２４ａ…フランジ。
【図１】
0004101924.tif 000002
【図２】
0004101924.tif 000003
【図３】
0004101924.tif 000004
【図４】
0004101924.tif 000005
【図５】
0004101924.tif 000006
【図６】
0004101924.tif 000007